【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
遊技の進行に基づき所定の演出を行う遊技機であって、
始動口への遊技球の入球に基づく識別情報の変動表示の結果が特定結果になると、遊技者にとって有利な特定遊技を実行する特定遊技実行手段と、
時間を計測する計時手段と、
遊技者が前記所定の演出に関する環境を設定可能な演出環境設定期間を発生させる設定期間発生手段と、
前記演出環境設定期間中に、演出環境を設定するための演出環境設定用画像を表示可能な表示手段と、
を備え、
前記設定期間発生手段は、前記計時手段により計測される時間に基づいて、前記演出環境設定期間を発生させる場合と、前記識別情報の変動表示が行われていないときにおいて遊技者からの所定指示に基づいて、前記演出環境設定期間を発生させる場合とを有する
ことを特徴とする遊技機。
【請求項２】
請求項１に記載の遊技機であって、
前記特定遊技の終了後に、特定状態を設定可能であり、
前記設定期間発生手段は、前記特定遊技終了後に前記特定状態となる特定遊技が開始される場合において、前記特定状態が開始されるまでの間に、前記演出環境設定期間を発生させる  
ことを特徴とする遊技機。
【手続補正２】
【補正対象書類名】明細書
【補正対象項目名】０００６
【補正方法】変更
【補正の内容】
【０００６】
本発明の遊技機は、上述の主目的を達成するために以下の手段を採った。
すなわち、本発明の遊技機は、
遊技の進行に基づき所定の演出を行う遊技機であって、
始動口への遊技球の入球に基づく識別情報の変動表示の結果が特定結果になると、遊技者にとって有利な特定遊技を実行する特定遊技実行手段と、
時間を計測する計時手段と、
遊技者が前記所定の演出に関する環境を設定可能な演出環境設定期間を発生させる設定期間発生手段と、
前記演出環境設定期間中に、演出環境を設定するための演出環境設定用画像を表示可能な表示手段と、
を備え、
前記設定期間発生手段は、前記計時手段により計測される時間に基づいて、前記演出環境設定期間を発生させる場合と、前記識別情報の変動表示が行われていないときにおいて遊技者からの所定指示に基づいて、前記演出環境設定期間を発生させる場合とを有する  ことを特徴とする。
また、前記特定遊技の終了後に、特定状態を設定可能であり、
前記設定期間発生手段は、前記特定遊技終了後に前記特定状態となる特定遊技が開始される場合において、前記特定状態が開始されるまでの間に、前記演出環境設定期間を発生させることを特徴とする。
【手続補正３】
【補正対象書類名】明細書
【補正対象項目名】０００７
【補正方法】変更
【補正の内容】
【０００７】
本明細書において、参考的に開示する参考発明の遊技機は、
遊技の進行に基づき所定の演出を行う遊技機であって、
遊技者が前記所定の演出に関する環境を設定可能な演出環境設定期間を発生させる設定期間発生手段と、
前記演出環境設定期間中に、演出環境を設定するための演出環境設定用画像を表示可能な表示手段と、
を備え、
前記設定期間発生手段は、進行中の遊技の状態が特定状態となることに基づいて、前記演出環境設定期間を発生させる
ことを特徴とする。
【手続補正４】
【補正対象書類名】明細書
【補正対象項目名】０００８
【補正方法】変更
【補正の内容】
【０００８】
この参考発明の遊技機では、進行中の遊技の状態が特定状態となることに基づいて、演出環境設定用画面を表示可能となる演出環境設定期間を発生させるから、遊技者は、所定の遊技状態から特定状態となることに基づいて、演出環境設定用画像（「演出環境設定用画面」ともいう）から演出環境を設定することができる。この結果、演出環境設定用画像を表示して演出環境を設定可能とする機会自動的に発生することができるから、当該機会を活用することで、遊技者の好みに応じた演出環境を設定し易くして、遊技興趣の向上を図ることができる。
ここで、「特定状態」としては、通常よりも遊技者にとって有利な遊技状態などとすることができる。通常よりも遊技者にとって有利な遊技状態において、通常とは異なる演出が行われる場合には、演出環境を設定し直したいという遊技者の要求が高まることが考えられる。このため、特定状態となるときに演出環境を設定可能とすることで、遊技者の好みに応じた演出環境をより設定し易くして、遊技興趣のさらなる向上を図ることができる。また有利な遊技状態から、当該有利な遊技状態よりも不利な遊技状態に移行する際に演出環境を設定可能としてもよい。この場合この不利な遊技状態が「特定状態」となる。また、「特定状態」となる度に、演出環境設定期間を発生させてもよいし、「特定状態」となる回数を計数しておき、計数した回数が所定回数に到達すると、演出環境設定期間を発生させてもよい。あるいは、「特定状態」となる場合に抽選を行い、抽選に当選すると、演出環境設定期間を発生させてもよい。
【手続補正５】
【補正対象書類名】明細書
【補正対象項目名】０００９
【補正方法】変更
【補正の内容】
【０００９】
また、参考発明の遊技機において、
第１の態様と前記第１の態様よりも遊技球の入球可能性が高い第２の態様とに変化可能な開閉式始動口と、
前記開閉式始動口への遊技球の入球頻度が所定の遊技状態よりも高い高頻度状態を発生させる高頻度状態発生手段と、
前記開閉式始動口を含む始動口への遊技球の入球に基づく識別情報の変動表示の結果が特定結果になると、遊技者にとって有利な特定遊技を実行する特定遊技実行手段と、
を備え、
前記特定状態は前記高頻度状態であり、
前記特定遊技の終了後に、前記特定状態を設定可能であり、
前記設定期間発生手段は、前記特定遊技終了後に前記特定状態となる特定遊技が開始される場合において、前記特定状態が開始されるまでの間に、前記演出環境設定期間を発生させる
ものとすることもできる。
【手続補正６】
【補正対象書類名】明細書
【補正対象項目名】００１１
【補正方法】変更
【補正の内容】
【００１１】
あるいは、参考発明の遊技機において、
第１の態様と前記第１の態様よりも遊技球の入球可能性が高い第２の態様とに変化可能な開閉式始動口と、
前記開閉式始動口への遊技球の入球頻度が所定の遊技状態よりも高い高頻度状態を発生させる高頻度状態発生手段と、
前記開閉式始動口を含む始動口への遊技球の入球に基づく識別情報の変動表示の結果が特定結果になると、遊技者にとって有利な特定遊技を実行する特定遊技実行手段と、
を備え、
前記特定状態は前記高頻度状態であり、
前記特定遊技の終了後に、前記特定状態を設定可能であり、
前記設定期間発生手段は、前記特定遊技終了後に前記特定状態となる特定遊技が実行される場合において、前記特定遊技終了後、所定回数目の前記識別情報の変動表示中に、前記演出環境設定期間を発生させる
ものとすることもできる。
【手続補正７】
【補正対象書類名】明細書
【補正対象項目名】００１３
【補正方法】変更
【補正の内容】
【００１３】
これらの態様の参考発明の遊技機において、
遊技球が入球可能な始動口と、
前記始動口に入球した遊技球の検知に基づいて取得される第１取得情報と、前記開閉式始動口に入球した遊技球の検知に基づいて取得される第２取得情報とを記憶する取得情報記憶手段と、
を備え、
前記第２取得情報に基づく前記識別情報の変動表示を、前記第１取得情報に基づく前記識別情報の変動表示に優先して実行可能で、
前記第２取得情報に基づいて特定遊技を実行する方が、前記第１取得情報に基づいて特定遊技を実行するよりも遊技者にとって有利であり、
前記設定期間発生手段は、前記識別情報の変動表示が行われていないときにおいて、遊技者からの所定指示に基づいて、前記演出環境設定期間を発生させる
ものとすることもできる。
【手続補正８】
【補正対象書類名】明細書
【補正対象項目名】００１４
【補正方法】変更
【補正の内容】
【００１４】
このようにした場合、特定状態では、第１取得情報に基づく遊技ではなく、第２取得情報に基づく遊技を主体として遊技を進行させることになる。一方で、遊技者は、遊技状態が特定状態となったときに加えて、遊技開始前や遊技中断中の任意のタイミングで演出環境を設定することができる。従って、特定遊技中（高頻度状態中）も遊技を一旦中断して、演出環境を設定することも考えられる。そのためには、変動表示待ちの第１取得情報と第２取得情報とのいずれもがなくなるまで、第１取得情報に基づく識別情報の変動表示と、第２取得情報に基づく識別情報の変動表示とを行う必要があり、第１取得情報が記憶されている場合には第１取得情報に基づく遊技が行われて遊技者に不利益が生じる場合がある。
これに対して、参考発明では、特定状態となることに基づいて演出環境設定期間を発生させて演出環境の設定を可能とするから、特定状態中に、演出環境を設定するために第１取得情報に基づく識別情報を変動表示させる必要がない。このため、特定状態中に第１取得情報に基づいて特定遊技が実行されて遊技者に不利益が生じるのを抑制して、遊技興趣が損なわれるのを防止することができる。